(57)【特許請求の範囲】
【請求項１】
被搬送媒体が搬送される搬送経路を有する本体と、
被搬送媒体を支持する支持板を有し、上記本体に対して、当該支持板上に支持された被搬送媒体が上記搬送経路に給送される第１位置及び当該第１位置とは異なる第２位置にスライド可能な第１トレイと、
上記第１トレイ上に配置されており、被搬送媒体の支持が可能であり、上記第１トレイに対して、第３位置及び当該第３位置とは異なる第４位置にスライド可能であって、且つ、上記第１トレイにおける上記支持板に近接した近接位置から上記支持板に対して離れる向きに回動可能な第２トレイと、
上記第１トレイに設けられ、上記第２トレイが、上記第３位置及び上記第４位置のそれぞれに位置する場合には上記第２トレイを上記近接位置とし、上記第３位置と上記第４位置との間に位置する場合には上記近接位置から上記離れる向きに回動した所定の回動位置に保持する保持部と、
上記本体に設けられ、上記保持部にて上記回動位置に保持された上記第２トレイに当接して上記第１トレイの上記第２位置から上記第１位置へのスライドを規制する規制部と、を備える搬送装置。
【請求項２】
上記保持部は、上記第１トレイにおける上記支持板の外側に設けられており、上記第１トレイの上記第２位置から上記第１位置へのスライド向きに沿って、上記支持板から離れるように傾斜した第１傾斜面と、当該第１傾斜面と連続しており平坦な平坦面と、当該平坦面と連続しており上記支持板へ近づくように傾斜した第２傾斜面と、を有する請求項１に記載の搬送装置。
【請求項３】
上記本体は、上記第１位置に位置する上記第１トレイの上方に、上記搬送経路から被搬送媒体が排出される排出空間を有し、
上記第２トレイは、上記排出空間に排出される被搬送媒体を支持する排出トレイ部を有する請求項１又は２に記載の搬送装置。
【請求項４】
上記規制部は、上記排出空間に対して、被搬送媒体の排出向きに直交する方向の外側に設けられている請求項３に記載の搬送装置。
【請求項５】
上記第２トレイは、当該第２トレイの上記第３位置から上記第４位置へのスライド向きの下流側において、当該スライド向きとは直交する方向に沿った回動中心軸を有し、当該回動中心に回動可能である請求項１から４のいずれかに記載の搬送装置。
【請求項６】
上記支持板の上方において、上記支持板に対して接離する方向に揺動可能な給送アームと、
上記給送アームの下端部に、被搬送媒体の給送向きとは直交する軸を中心に回転可能に設けられた給送ローラと、を備え、
上記給送アームは、上記第１位置に位置する上記第１トレイにおける上記支持板上の被搬送媒体に上記給送ローラが接触する位置と、上記第１位置に位置する上記第１トレイに対して、上記第４位置に位置する上記第２トレイ上の被搬送媒体に上記給送ローラが接触する位置とに変位可能である請求項１から５のいずれかに記載の搬送装置。
【請求項７】
請求項１から６のいずれかに記載の搬送装置と、
上記搬送装置によって搬送される被搬送媒体に画像を記録する記録部とを備える画像記録装置。
【発明の詳細な説明】
【技術分野】
【０００１】
本発明は、それぞれが被搬送媒体を支持する下段の第１トレイ及び上段の第２トレイを有する搬送装置、及び当該搬送装置を備えた画像記録装置に関する。
【背景技術】
【０００２】
従来より、プリンタや、印刷・スキャン・コピー機能などを備えた複合機などの画像記録装置が提供されている。画像記録装置は、被搬送媒体を搬送する搬送装置を備えており、被搬送媒体が搬送装置によって搬送経路を搬送される間に、記録部によって画像が形成される。
【０００３】
画像記録装置は、通常、記録部、被搬送媒体の搬送装置等が設けられた本体と、この本体に対して着脱可能になった給送トレイとを有している。給送トレイには被搬送媒体が収容され、本体の搬送装置には、装着された給送トレイから被搬送媒体を搬送経路へ給送する給送部が設けられている。給送部には、駆動モータなどにより回転される給送ローラが設けられている。給送ローラは、上下方向への揺動可能であって、弾性部材などにより下向きに付勢されている。
【０００４】
特許文献１には、給送トレイが、下段の第１トレイと上段の第２トレイとの２つのトレイを備えた画像記録装置が開示されている。第１トレイは、例えば、Ａ４サイズの記録用紙などの比較的大きなサイズの被搬送媒体が搬送装置を支持するために使用される。第１トレイが本体に装着された状態では、第１トレイに収容された被搬送媒体が給送ローラに当接して記録部へ向けて搬送される。
【０００５】
第２トレイは、例えば、葉書などの比較的小さなサイズの被搬送媒体を支持するために使用される。第２トレイは、給送部の給送ローラにより第２トレイに支持された被記録媒体の給送が可能な給送位置と、第１トレイに支持された被搬送媒体を給送ローラにより給送可能とする非給送位置との間でスライド可能に、第１トレイに支持されている。
【０００６】
また、第１トレイに被搬送媒体を装填する作業が容易となるように、第１トレイに対して、第２トレイが上下方向に回動可能に構成されている。第２トレイは、給送向き下流側に設けられた左右方向に沿った回動軸周りに、給送向きの上流側が部分が上下方向に回動する。
【先行技術文献】
【特許文献】
【０００７】
【特許文献１】特開２００８−２１３９７７号公報
【発明の概要】
【発明が解決しようとする課題】
【０００８】
前述された給送トレイにおいて、第２トレイが給送位置でも非給送位置でもない位置とされた状態であると、給送ローラが第１トレイ上の被搬送媒体及び第２トレイ上の被搬送媒体のいずれにも接触せず、第１トレイ及び第２トレイのいずれからも被搬送媒体を給送できないという不具合が生じ得る。また、ユーザは、第２トレイが給送位置及び非給送位置のいずれでもない状態にあることを、給送不良が生じるまで知り得ない。
【０００９】
本発明は、上記問題に鑑みてなされたものであり、その目的は、第２トレイが給送位置及び非給送位置のいずれでもない状態で、第１トレイ及び第２トレイが本体内に装着されることを防止できる手段を提供することにある。
【課題を解決するための手段】
【００１０】
(1)  本発明に係る搬送装置は、被搬送媒体が搬送される搬送経路を有する本体と、被搬送媒体を支持する支持板を有し、上記本体に対して、当該支持板上に支持された被搬送媒体が上記搬送経路に給送される第１位置及び当該第１位置とは異なる第２位置にスライド可能な第１トレイと、上記第１トレイ上に配置されており、被搬送媒体の支持が可能であり、上記第１トレイに対して、第３位置及び当該第３位置とは異なる第４位置にスライド可能であって、且つ、上記第１トレイにおける上記支持板に近接した近接位置から上記支持板に対して離れる向きに回動可能な第２トレイと、上記第１トレイに設けられ、上記第２トレイが、上記第３位置及び上記第４位置のそれぞれに位置する場合には上記第２トレイを上記近接位置とし、上記第３位置と上記第４位置との間に位置する場合には上記近接位置から上記離れる向きに回動した所定の回動位置に保持する保持部と、上記本体に設けられ、上記保持部にて上記回動位置に保持された上記第２トレイに当接して上記第１トレイの上記第２位置から上記第１位置へのスライドを規制する規制部と、を備える。
【００１１】
このような構成によれば、第１トレイに対して第２トレイが保持部によって回動位置に保持された状態になっていると、第１トレイは第２位置から第１位置へのスライドが、規制部によって規制される。これにより、第２トレイが回動位置になっていることをユーザは認識することができる。その結果、ユーザは、第２トレイが被搬送媒体を適切に給送できる状態でないにもかかわらず、第２トレイ上の被搬送媒体の搬送を実行するおそれがない。
【００１２】
(2)  好ましくは、上記保持部は、上記第１トレイにおける上記支持板の外側に設けられており、上記第１トレイの上記第２位置から上記第１位置へのスライド向きに沿って、上記支持板から離れるように傾斜した第１傾斜面と、当該第１傾斜面と連続しており平坦な平坦面と、当該平坦面と連続しており上記支持板へ近づくように傾斜した第２傾斜面と、を有する。
【００１３】
このような構成によれば、第２トレイは、第３位置及び第４位置のそれぞれにおける近接位置から、第１傾斜面及び第２傾斜面のそれぞれによって、円滑に回動位置に移動される。
【００１４】
(3)  好ましくは、上記本体は、上記第１位置に位置する上記第１トレイの上方に、上記搬送経路から被搬送媒体が排出される排出空間を有し、上記第２トレイは、上記排出空間に排出される被搬送媒体を支持する排出トレイ部を有する。
【００１５】
これにより、第２トレイとは別に、被記録媒体を支持するトレイを設ける必要がなく、簡潔な構成とすることができる。
【００１６】
(4)  好ましくは、上記規制部は、上記排出空間に対して、被搬送媒体の排出向きに直交する方向の外側に設けられている。
【００１７】
これにより、排出空間に排出される被搬送媒体が規制部に接触するおそれがない。
【００１８】
(5)  好ましくは、上記第２トレイは、当該第２トレイの上記第３位置から上記第４位置へのスライド向きの下流側において、当該スライド向きとは直交する方向に沿った回動中心軸を有し、当該回動中心に回動可能である。
【００１９】
これにより、第１トレイにおける第１位置から離れた部分を第２トレイの回動により大きく開放することができるために、第１トレイの支持板上に被搬送媒体を容易に支持させることができる。
【００２０】
(6)  好ましくは、上記支持板の上方において、上記支持板に対して接離する方向に揺動可能な給送アームと、上記給送アームの下端部に、被搬送媒体の給送向きとは直交する軸を中心に回転可能に設けられた給送ローラと、を備え、上記給送アームは、上記第１位置に位置する上記第１トレイにおける上記支持板上の被搬送媒体に上記給送ローラが接触する位置と、上記第１位置に位置する上記第１トレイに対して、上記第４位置に位置する上記第２トレイ上の被搬送媒体に上記給送ローラが接触する位置とに変位可能である。
【００２１】
上記構成によれば、第２トレイに支持された被搬送媒体を確実に搬送することができ、被搬送媒体ジャム状態になることを防止できる。
【００２２】
(7)  本発明に係る画像記録装置は、上記搬送装置と、上記搬送装置によって搬送される被搬送媒体に画像を記録する記録部とを備える。
【００２３】
上記構成によれば、第２トレイに支持された被搬送媒体に対して画像を記録する際に、被搬送媒体がジャム状態になることを防止できる。
【発明の効果】
【００２４】
本発明によれば、第２トレイに支持された被搬送媒体が給送されない状態、或いは、搬送経路内においてジャム状態になることを防止することができる。
【図面の簡単な説明】
【００２５】
【図１】図１は、本発明の実施形態の一例である複合機１０の斜視図である。
【図２】図２は、プリンタ部１１の内部構造を説明するための模式図である。
【図３】図３は、給送トレイ８０に対して第１位置になったサブトレイ９０と給送トレイ８０との斜視図である。
【図４】図４は、給送トレイ８０に対して第４位置になったサブトレイ９０と給送トレイ８０との斜視図である。
【図５】図５は、給送トレイ８０に対して上方に回動された状態のサブトレイ９０と給送トレイ８０との斜視図である。
【図６】図６は、給送トレイ８０の一部及び給送部１６を前側から見た斜視図である。
【図７】図７は、給送トレイ８０に対して第３位置になったサブトレイ９０と給送トレイ８０とを分離して示す斜視図である。
【図８】図８は、給送トレイ８０に対してサブトレイ９０が第３位置と第４位置との間に位置した状態の給送トレイ８０の斜視図である。
【図９】図９（Ａ）は、給送トレイ８０を取り外した状態の本体１４の正面図、図９（Ｂ）は、そのような状態の本体１４を下側から見た斜視図である。
【図１０】図１０（Ａ）は、給送トレイ８０に対して第３位置になった状態のサブトレイ９０と給送トレイ８０との側面図、図１０（Ｂ）は、給送トレイ８０に対して第３位置と第４位置との間に位置した状態のサブトレイ９０と給送トレイ８０との側面図である。
【発明を実施するための形態】
【００２６】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された状態（図１の状態）を基準として上下方向７が定義され、複合機１０の正面側を前側として前後方向８が定義され、複合機１０を正面側（手前側）から見て左右方向９が定義される。
【００２７】
［複合機１０の全体構成］
図１に示される複合機１０（本発明の画像記録装置の一例）は、ファクシミリ機能、プリント機能等の各種の機能を有している。複合機１０は、概ね薄型の直方体形状に構成された本体１４と、本体１４内の下部内に装着された給送トレイ８０（第１トレイ）と、給送トレイ８０の上側に設けられたサブトレイ９０（第２トレイ）とを有している。給送トレイ８０は、記録用紙１２（図２参照）が収容可能になっており、本体１４に装着された位置（請求項１の第１位置に相当。以下、「第１位置」とする。）状態から、前向きに引き出されて、第１位置から離れた位置（請求項１の第２位置に相当。以下、「第２位置」とする。）にスライドされる。
【００２８】
本体１４の内部には、装着された給送トレイ８０の前側部分の上側に、記録用紙１２がプリントアウトされる排出空間１３が設けられている。排出空間１３は前側に開口している。サブトレイ９０は、プリントアウトされる記録用紙１２が載置されるように、排出空間１３の下側に位置している。サブトレイ９０は、給送トレイ８０に対して前後方向８へのスライド可能な状態で、給送トレイ８０に支持されている。サブトレイ９０は、給送トレイ８０に収容された記録用紙１２とは異なるシートに画像を記録する際に、当該シートが支持される。
【００２９】
図２に示されるように、本体１４内における後側の上部にはプリンタ部１１が設けられている。プリンタ部１１は、インクジェット方式で記録用紙１２等の被記録媒体に画像を記録する。給送トレイ８０には、記録用紙１２が載置される支持板８１が設けられている。支持板８１上には複数枚の記録用紙１２が上下方向７に積み重ねられる。複合機１０は、給送トレイ８０の支持板８１上に載置された記録用紙１２の片面及び両面のそれぞれに画像を記録する機能と、ＣＤ−ＲＯＭ、ＤＶＤ−ＲＯＭなどの記録メディアの盤面上に画像を記録する機能と、サブトレイ９０上に載置された記録用紙等の各種シートに画像を記録する機能とを有している。
【００３０】
図１及び図２は、本体１４内に装着された給送トレイ８０内の記録用紙１２の片面に、プリンタ部１１において画像を記録する場合を示している。この場合には、図３に示されるように、サブトレイ９０が、給送トレイ８０に対して最も前方にスライドされた位置（請求項１の第３位置に相当。以下、「第３位置」とする。）とされて、給送トレイ８０が本体１４内に装着された第１位置とされる。第１位置とされた給送トレイ８０は、サブトレイ９０が第３位置になっていることにより、後部が上方に開放された状態になり、給送トレイ８０内の記録用紙１２をプリンタ部１１に給送可能になる。
【００３１】
なお、サブトレイ９０上にシートを載置して、当該シートに画像を記録する場合には、図４に示されるように、サブトレイ９０は、給送トレイ８０に対して最も後方にスライドされた位置（請求項１の第４位置に相当。以下、「第４位置」とする。）とされる。この場合は、サブトレイ９０における後部（後述するシート給送部９１）上の所定位置（後述するシート載置領域９１Ａ）に予めシートが載置される。サブトレイ９０が第４位置になると、給送トレイ８０の後部は、サブトレイ９０によって覆われた状態になり、給送トレイ８０の前部は上方に開放された状態になる。サブトレイ９０が第４位置になった給送トレイ８０が本体１４内に装着されると、サブトレイ９０上のシートを本体１４内に給送可能な状態になる。
【００３２】
給送トレイ８０は、第２位置に位置されると、給送トレイ８０に対して第４位置となったサブトレイ９０は、図５に示されるように、前側の端部が９０度以上にわたって上方に回動可能になる。このような状態になると、ユーザは、給送トレイ８０内の支持板８１上に記録用紙１２を充填することが可能になる。
【００３３】
図２に示されるように、プリンタ部１１の下側には、第１位置になった給送トレイ８０内の記録用紙１２をプリンタ部１１に給送する給送部１６が設けられている。給送部１６には、図６に示されるように、第１位置になった給送トレイ８０の後部上方に、左右方向９に沿った状態で回転可能に支持された支持軸２８が設けられている。支持軸２８には、支持アーム２６の一方の端部が回動可能に支持されている。支持アーム２６は、他方の端部（先端部）が後側の下方に位置するように延出しており、図示しない付勢部材によって、その先端部が下方に向かって付勢されている。支持アーム２６の先端部には、給送ローラ２５が、左右方向９に沿った状態で回転可能に支持されている。給送ローラ２５には、動力伝達機構２７（図２参照）によって図示しないモータの動力が伝達される。
【００３４】
支持アーム２６には、給送ローラ２５の上下方向７の位置を規定する回動板２９が一体的に設けられている。回動板２９は、支持アーム２６から左側方向に延出した帯板状になっている。
【００３５】
回動板２９における左側の側部は、給送トレイ８０における右側の側壁部８７の上面に摺動可能に支持されたスライド部２９Ａになっている。給送トレイ８０における左側の側壁部８７の上面は、後述するように、給送トレイ８０の前後方向８へのスライドに伴ってスライド部２９Ａを上下方向７に案内するガイド面８７Ｊになっている。ガイド面８７Ｊは、前後方向８の位置に対応して上下方向７の位置が変化しており、回動板２９は、ガイド面８７Ｊの当接位置における上下方向７の位置に対応した回動位置になる。
【００３６】
図２に示されるように、本体１４における後端部には、給送部１６によって給送トレイ８０から繰り出される記録用紙１２を上方に向けて搬送する第１搬送経路３３が設けられている。第１搬送経路３３は、後側に位置する外周ガイド部材３３Ａと、前側に位置する内周ガイド部材３３Ｂとによって、後方に突出した円弧状に構成されている。
【００３７】
給送トレイ８０から繰り出される記録用紙１２は、第１搬送経路３３の下端部から第１搬送経路３３内に進入し、第１搬送経路３３の上端部から前向きに排出される。プリンタ部１１の上部には、第１搬送経路３３を搬送された記録用紙１２が前向きに搬送される第２搬送経路３４が前後方向８に沿って設けられている。第２搬送経路３４における前側の端部は、サブトレイ９０の後端部の上方に位置している。
【００３８】
第２搬送経路３４には、前後方向８の前向きに、第１搬送ローラ対５９と、プラテン４２と、第２搬送ローラ対４４と、経路切換ガイド３６と、反転ローラ対４５とが順番に設けられており、それぞれが第２搬送経路３４の一部を形成している。
【００３９】
第１搬送ローラ対５９は、上側に配置された第１搬送ローラ６０と、下側に配置されたピンチローラ６１とを備えている。第１搬送ローラ対５９は、第２搬送経路３４を記録用紙１２が搬送される場合には、第１搬送ローラ６０とピンチローラ６１とが相互に圧接された状態とされて、第１搬送ローラ６０が回転駆動される。
【００４０】
第１搬送ローラ対５９と第２搬送ローラ対４４との間に配置されたプラテン４２は、第２搬送経路３４を搬送される記録用紙１２を前後方向８に沿った状態で支持する。プラテン４２よりも上方には、プラテン４２にて支持された記録用紙１２に画像を記録する記録部２４が設けられている。
【００４１】
記録部２４は、プラテン４２の上方において前後方向８に所定の間隔をあけた状態でそれぞれが左右方向９に沿って配置された第１ガイドレール５６及び第２ガイドレール５７によって支持されている。記録部２４は、第１ガイドレール５６及び第２ガイドレール５７にスライド可能に支持されたキャリッジ４０と、キャリッジ４０の下部に配置された記録ヘッド３８とを有している。記録ヘッド３８には、複数の吐出口から下方に向かってインクを吐出するノズル３９が設けられている。ノズル３９には、インクカートリッジ（不図示）からインクが供給される。
【００４２】
プラテン４２の前側に配置された第２搬送ローラ対４４は、下側の第２搬送ローラ６２と、上側の対向ローラ（従動ローラ）６３とを備えている。第２搬送ローラ６２は、記録用紙１２を搬送する場合には、対向ローラ６３に圧接された状態で回転駆動される。
【００４３】
経路切換ガイド３６は、第２搬送ローラ対４４によって搬送される記録用紙１２が当接すると、当該記録用紙１２が経路切換ガイド３６の上方を通過する状態になる。また、後述されるように、経路切換ガイド３６を通過して反転ローラ対４５へ案内された記録用紙１２が、その後端部が経路切換ガイド３６と反転ローラ対４５との間に位置する場合に、経路切換ガイド３６と当接することによって、経路切換ガイド３６の下方へ案内される。
【００４４】
反転ローラ対４５は、下側に配置された反転ローラ６７と、上側に配置された反転対向ローラ（従動ローラ）６８とを備えている。反転ローラ６７は、正逆回転可能である。反転対向ローラ６８は、反転ローラ６７に圧接した状態では、反転ローラ６７の回転に追従して回転する。
【００４５】
第２搬送経路３４における上側の第１搬送ローラ６０、下側の第２搬送ローラ６２及び反転ローラ６７のそれぞれが回転する向きは、記録用紙１２を前向きに搬送する場合を正転と称し、逆向きに回転される場合を逆転と称する。記録用紙１２の片面にのみ画像が記録される場合には、第１搬送ローラ６０、第２搬送ローラ６２及び反転ローラ６７のそれぞれが正転駆動されて、反転ローラ対４５により搬送される記録用紙１２がサブトレイ９０上に排出される。
【００４６】
記録用紙１２の両面に画像が記録される場合には、第１搬送ローラ６０、第２搬送ローラ６２及び反転ローラ６７が正転されて、片面に画像が記録された記録用紙１２の後端部が反転ローラ対４５を通過する直前まで搬送された後に、反転ローラ６７が逆転される。これにより、記録用紙１２は、経路切換ガイド３６に向かって後向きに搬送され、経路切換ガイド３６と当接することによって、経路切換ガイド３６の下側へ案内される。経路切換ガイド３６の下方には、反転ローラ対４５から第１搬送経路３３の下端部に達する分岐搬送ガイド７１が設けられており、分岐搬送ガイド７１によって第３搬送経路７３が形成されている。分岐搬送ガイド７１に沿って搬送される記録用紙１２は、中間搬送ローラ対７２によって第１搬送経路３３の下端部へ搬送される。
【００４７】
給送トレイ８０、サブトレイ９０、給送部１６、第１搬送経路３３、第２搬送経路３４は、記録用紙１２の搬送装置を構成している。
【００４８】
［給送トレイ８０及びサブトレイ９０］
図７に示されるように、給送トレイ８０は、上下方向７の長さが短い（薄い）中空の直方体状に形成されており、上方に開放された状態になっている。給送トレイ８０は、支持板８１における左右の両側のそれぞれにおいて前後方向８に沿って立設された側壁部８７と、両側壁部８７における前側の側縁部同士を結合するために左右方向９に沿って立設された前側壁８６とを有している。
【００４９】
給送トレイ８０における後端部には、左右一対の当接部材８３が、左右方向９に間隔を空けた位置に設けられている。各当接部材８３は支持板８１の後側の側縁から上方に向かって突出している。各当接部材８３は、支持板８１上に載置された複数枚の記録用紙１２の後側の側縁が当接することによって、支持板８１上に載置された記録用紙１２を前後方向８に沿って揃った状態にする。
【００５０】
給送トレイ８０の後部には、左右方向９に沿った帯板状のスライド部材８２が前後方向８にスライド可能に設けられている。スライド部材８２における左側の端部及び右側の端部には、脚部８２Ａ及び８２Ｂがそれぞれ設けられている。各脚部８２Ａ及び８２Ｂの内側には、サブトレイ９０を支持する台部８２Ｃ及び８２Ｄがそれぞれ設けられている。
【００５１】
それぞれの脚部８２Ａ及び８２Ｂは、台部８２Ｃ及び８２Ｄのそれぞれの外側の側縁から外側の下方に向かって延出している。左側の脚部８２Ａは、右側の脚部８２Ｂよりも下側に位置している。各脚部８２Ａ及び８２Ｂの下端部には、前後方向８に沿った状態で外側に僅かに突出した摺動部８２Ｅがそれぞれ設けられている。
【００５２】
スライド部材８２における各台部８２Ｃ及び８２Ｄのそれぞれには、左右方向９に沿った支持軸８２Ｆが設けられている。各支持軸８２Ｆには、サブトレイ９０の前側の側縁部における左右の両側に設けられた係合部９８が、それぞれ回動可能に係合している。サブトレイ９０は、左右方向９に沿った各支持軸８２Ｆを中心として回動可能に支持されており、従って、サブトレイ９０における前部が上下方向７に回動可能になっている。
【００５３】
給送トレイ８０の右側の側壁部８７における前部の内側面には、スライド部材８２の右側の摺動部８２Ｅを前後方向８に沿ってスライド可能に支持するガイドレール部８７Ａが設けられている。左側の側壁部８７における前部の内側面にも、スライド部材８２の左側の摺動部８２Ｅを前後方向８に沿ってスライド可能に支持するガイドレール部が設けられている。スライド部材８２の各台部８２Ｃ及び８２Ｄは、給送トレイ８０の各側壁部８７における前部の上面よりも上方に位置している。
【００５４】
右側の脚部８２Ｂは、右側の台部８２Ｄに対して左右方向９に沿ってスライド可能になっており、右側の台部８２Ｄには、右側の脚部８２Ｂを右向きに付勢する付勢部材（図示せず）が設けられている。サブトレイ９０における前部の右側には、右側の脚部８２Ｂを付勢部材による付勢力に抗して左向きにスライドさせる操作レバー９７が設けられている。操作レバー９７は、前後方向８に沿ってスライド可能になっており、前向きにスライドされることにより、右側の脚部８２Ｂが、付勢部材による付勢力に抗して左向きにスライドする。操作レバー９７のスライド操作によって右側の脚部８２Ｂをスライドさせる機構については公知であるために、詳細な説明については省略する。左側の脚部８２Ａは、右側の台部８２Ｃとは一体に構成されており、右側の台部８２Ｃに対しては左右方向９に沿ってスライドしない。
【００５５】
右側の側壁部８７には、ガイドレール部８７Ａの前部および後部のそれぞれの上側の位置において、右側の脚部８２Ｂの摺動部８２Ｅが嵌合して当該摺動部８２Ｅをスライドしない状態に保持する係合孔８７Ｃ及び８７Ｄがそれぞれ設けられている。ガイドレール部８７Ａ上をスライドする摺動部８２Ｅは、外側に向かって付勢されていることにより、ガイドレール部８７Ａの前端部および後端部のそれぞれに位置されると、係合孔８７Ｃ及び８７Ｄのそれぞれに嵌合する。これにより、摺動部８２Ｅは、係合孔８７Ｃ及び８７Ｄのそれぞれに係合して、スライドしない状態に保持される。
【００５６】
スライド部材８２は、摺動部８２Ｅが前側の係合孔８７Ｃに係合すると、サブトレイ９０は、図３に示されるように、給送トレイ８０に対して最も前側の第３位置になる。また、摺動部８２Ｅが後側の係合孔８７Ｄに係合すると、サブトレイ９０は、図４に示されるように、給送トレイ８０に対して最も後側の第４位置になる。
【００５７】
図４に示されるように、給送トレイ８０における左右の各側壁部８７には、前側の端部上に上方に向かって突出した係合突出部８８がそれぞれ設けられている。各係合突出部８８は、後述するように、サブトレイ９０に設けられた位置決め部９４に係合することにより、サブトレイ９０を第１位置に位置決めする。係合突出部８８の左右方向９に沿った長さ（幅寸法）は、側壁部８７の幅寸法に等しい幅寸法を有しており、それぞれが、側面視で三角形状に構成されている。係合突出部８８の前側面８８Ｂは、前側になるにつれて順次、給送トレイ８０の支持板８１に近接するように傾斜している。後側面８８Ａは、上下方向７に沿って平坦になっている。
【００５８】
また、図４に示されるように、左右の各側壁部８７の上面には、係合突出部８８から後側に所定の距離だけ離れた位置に保持部８９がそれぞれ設けられている。各保持部８９は、サブトレイ９０の前部における左右の両側を、上記の支持板８１に近接した位置から所定の距離だけ上方に回動した回動位置に保持する
【００５９】
各側壁部８７における保持部８９の前側に位置する上面は、前後方向８に沿った第１平坦面８７Ｆになっている。また、各側壁部８７における保持部８９の後側に位置する上面も、前後方向８に沿った第２平坦面８７Ｇになっている。第２平坦面８７Ｇの後側には、上方に突出したストッパー８７Ｈが設けられている。ストッパー８７Ｈは、サブトレイ９０に設けられた位置決め部９４の後方へのスライドを規制する。
【００６０】
保持部８９の上面は、側壁部８７における第１平坦面８７Ｆの後側に連続して設けられた第１傾斜面８９Ａと、第１傾斜面８９Ａの後側に連続して設けられた平坦面８９Ｂと、平坦面８９Ｂの後側に連続して設けられた第２傾斜面８９Ｃとを有している。第１傾斜面８９Ａは、後側になるにつれて給送トレイ８０の支持板８１から離れるように傾斜している。平坦面８９Ｂは、上下方向７に沿って平坦になっている。第２傾斜面８９Ｃは、後側になるにつれて給送トレイ８０の支持板８１に接近するように傾斜している。
【００６１】
図７に示されるように、給送トレイ８０の左側の側壁部８７における後端部の上面は、前述したガイド面８７Ｊになっており、給送部１６に設けられた回動板２９のスライド部２９Ａ（図３参照）が摺動する。ガイド面８７Ｊにおける後部は、前側になるにつれて支持板８１から離れるように傾斜した第１ガイド部８７Ｋになっている。この第１ガイド部８７Ｋの前側には、前後方向８に沿って平坦な第２ガイド部８７Ｍが連続して設けられている。さらに、第２ガイド部８７Ｍの前側には、前側になるにつれて支持板８１に接近するように傾斜した第３ガイド部８７Ｎが設けられている。第２ガイド部８７Ｍは、給送トレイ８０の後端部に設けられた一対の当接部材８３の上面よりも上方に位置している。
【００６２】
給送トレイ８０が第１位置に向かって後方にスライドされると、給送部１６に設けられた回動板２９のスライド部２９Ａが、ガイド面８７Ｊの第１ガイド部８７Ｋに摺動する。これにより、回動板２９の前側の側縁部が上方に回動し、支持アーム２６の先端部が上方に持ち上げられて、給送ローラ２５が上方に持ち上げられる。その後、回動板２９のスライド部２９Ａが、ガイド面８７Ｊの第２ガイド部８７Ｍ上を摺動すると、給送ローラ２５は、当接部材８３の上面よりも上方に持ち上げられる。従って、給送トレイ８０は、当接部材８３に給送ローラ２５が衝突することなく、円滑に後向きにスライドされる。
【００６３】
給送トレイ８０がさらに後向きにスライドされると、回動板２９のスライド部２９Ａが、ガイド面８７Ｊの第３ガイド部８７Ｎ上を摺動する状態になり、給送ローラ２５は、徐々に下降する。そして、給送ローラ２５が第１位置に達すると、回動板２９のスライド部２９Ａが、第３ガイド部８７Ｎにおける前側の端部上に位置した状態になる。これにより、給送ローラ２５は、支持アーム２６が下向きに付勢されていることにより、下向きに回動する。
【００６４】
この場合、サブトレイ９０が第３位置になっていると、給送ローラ２５は、給送トレイ８０の後部内に進入し、給送トレイ８０の支持板８１上に記録用紙１２が載置されていなければ、支持板８１に当接する。従って、給送トレイ８０の支持板８１上に記録用紙１２が載置されている場合には、図２に示されるように、給送ローラ２５は、給送トレイ８０内の最上部の記録用紙１２に当接する。このような状態で、給送ローラ２５が所定方向に回転駆動されると、給送ローラ２５に当接した記録用紙１２は、第１搬送経路３３内へ繰り出される。
【００６５】
図７に示されるように、サブトレイ９０の後部は、給送トレイ８０内に収容された記録用紙１２よりも小さな所定サイズのシート（例えば葉書）に画像を記録する場合に使用されるシート支持部９１になっている。また、サブトレイ９０の前部は、プリントアウトされる記録用紙１２等が載置される排出トレイ部９２になっている。排出トレイ部９２は、シート支持部９１よりも上側に位置している。
【００６６】
シート支持部９１における左右方向９の中央部には、所定サイズのシートが載置されるシート支持領域９１Ａになっている。サブトレイ９０は、シート支持領域９１Ａに載置された最上部のシートを、後側の側縁から後方へ繰り出すことが可能になっている。
【００６７】
サブトレイ９０の左右の両側の各側部の前部には、サブトレイ９０の前面から後向きに延出する位置決め部９４がそれぞれ設けられている。各位置決め部９４は、サブトレイ９０の左右の両側面から外側にそれぞれ突出している。位置決め部９４の前部の上面は、排出トレイ部９２の上面と同一平面内に位置している。位置決め部９４における前部以外の部分は、排出トレイ部９２の上面よりも給送トレイ８０の支持板８１に近接した一定の高さになっている。
【００６８】
位置決め部９４は中空になっており、底面部分は下方に開口している。位置決め部９４の下側の側縁は、前後方向８に沿って平坦であって、前後方向８に沿った長さは、側壁部８７の前端部に設けられた係合突出部８８から保持部８９までの前後方向８に沿った距離にほぼ等しく、また、ストッパー８７Ｈから保持部８９までの前後方向８に沿った距離にもほぼ等しくなっている。
【００６９】
図９（Ａ）及び（Ｂ）に示されるように、本体１４における排出空間１３の左右方向９の両側に位置する内側面１４Ａには、排出空間１３側に突出した規制部１７がそれぞれ設けられている。各規制部１７は、左右方向９の長さが短く、上下方向７の長さが左右方向９の長さよりも長い平板状に構成されている。規制部１７の前側面１７Ａは、本体１４における前面１４Ｂよりも後側の位置において上下方向７に沿った状態になっている。図１０（Ａ）に示されるように、規制部１７の前側面１７Ａは、給送トレイ８０の側壁部８７における前面から、保持部８９における平坦面８９Ｂの前側の端部までの距離にほぼ等しい距離だけ、本体１４における前面１４Ｂから後側に離れている。
【００７０】
規制部１７の前部には、前側面１７Ａから一定の長さにわたって前後方向８に沿って平坦な下面１７Ｂが設けられている。規制部１７の下面１７Ｂは、給送トレイ８０の側壁部８７に設けられた保持部８９の平坦面８９Ｂよりも上側に位置している。規制部１７の前側面１７Ａと下面１７Ｂとの間には、前側になるにつれて上側に位置するように傾斜したテーパー面１７Ｃになっている。
【００７１】
各規制部１７は、サブトレイ９０の前端部が、給送トレイ８０の支持板８１に近接した近接位置から上方に回動した状態で、給送トレイ８０を第２位置から第１位置にスライドさせると、各位置決め部９４に当接する。これにより、給送トレイ８０がさらに第１位置へスライドすることが規制される。サブトレイ９０が給送トレイ８０に対して第３位置又は第４位置になっている場合には、サブトレイ９０は、給送トレイ８０の支持板８１に最も近接した近接位置になる。この場合には、給送トレイ８０を第２位置から第１位置にスライドさせても、規制部１７は、位置決め部９４に当接することはない。従って、給送トレイ８０は円滑に第２位置から第１位置にスライドされる。
【００７２】
［給送トレイ８０及びサブトレイ９０の作用］
給送トレイ８０内に充填された記録用紙１２に画像を記録する場合には、サブトレイ９０が給送トレイ８０に対して第１位置とされて、給送トレイ８０が本体１４内に装着される。サブトレイ９０が第１位置になっている場合、給送トレイ８０における各側壁部８７の前端部に設けられた係合突出部８８は、左右両側の各位置決め部９４の前端部内に収容された状態になり、各位置決め部９４は、各側壁部８７の第１平坦面８７Ｆ上に位置している。このような状態では、サブトレイ９０は第１位置に位置決めされて、停止状態に保持される。
【００７３】
給送トレイ８０は、サブトレイ９０が第１位置に位置決めされた状態で、第２位置から第１位置に向かって後向きにスライドされる。この場合、サブトレイ９０が第１位置に位置決めされて、給送トレイ８０の支持板８１に近接した近接位置になっていることから、本体１４の規制部１７に当接することなく、円滑に第１位置にまでスライドされる。
【００７４】
給送トレイ８０が本体１４内の第１位置になると、給送部１６の回動板２９は、給送トレイ８０における左側の側壁部８７の第３ガイド部８７Ｎの前側の下端部上に位置する。この場合、サブトレイ９０が第１位置になっていることから、給送ローラ２５は、給送トレイ８０内における最上部の記録用紙１２に当接する。
【００７５】
このような状態で、給送ローラ２５が回転駆動されると、給送ローラ２５に当接した記録用紙１２は第１搬送経路３３へ搬送されて、その後、第２搬送経路３４のプラテン４２上において停止される。このような状態で、記録部２４による画像の記録が実行される。その後、反転ローラ対４５における反転ローラ６７が正転されることにより、第１位置になったサブトレイ９０の排出トレイ部９２上に排出される。
【００７６】
これに対して、サブトレイ９０のシート支持部９１を使用して、所望のシートに画像を記録する場合には、給送トレイ８０は、本体１４から前方に引き出された第２位置とされる。このような状態で、サブトレイ９０は、ユーザによって、第３位置から第４位置にスライドされる。この場合、ユーザは、サブトレイ９０に設けられた操作レバー９７を前向きにスライドさせて、右側の脚部８２Ｂと係合孔８７Ｃとの係合を解消した状態とする。
【００７７】
このような状態で、ユーザは、サブトレイ９０の前端部を上方に持ち上げる。これにより、左右両側の各位置決め部９４と係合突出部８８との係合状態が解消される。その後、サブトレイ９０の全体が、給送トレイ８０に対して後向きにスライドされる。これにより、位置決め部９４は、保持部８９よりも後側の平坦面８９Ｂ上に位置される。このとき、位置決め部９４の後端部がストッパー８７Ｈに当接することにより、サブトレイ９０の後向きのスライドが規制される。このような状態になると、位置決め部９４は、保持部８９とストッパー８７Ｈとの間に位置される。これにより、サブトレイ９０は第４位置となって停止状態になる。
【００７８】
サブトレイ９０が第４位置に位置されると、シート支持部９１は、給送トレイ８０における後側部分を覆った状態になる。このような状態で、サブトレイ９０のシート支持部９１におけるシート支持領域９１Ａに１枚または複数枚のシートが載置される。その後、給送トレイ８０が第１位置になるまで、本体１４内を後向きにスライドさせる。この場合も、サブトレイ９０は、給送トレイ８０に対して第４位置になっているために、支持板８１に近接した近接位置になっている。これにより、位置決め部９４は、本体１４の規制部１７に当接することなく、円滑に第１位置にまでスライドされる。
【００７９】
給送トレイ８０が第１位置になることにより、給送部１６の回動板２９は、給送トレイ８０における左側の側壁部８７の第３ガイド部８７Ｎの前側の下端部上に位置する。この場合、サブトレイ９０が第４位置になっていることから、給送ローラ２５が下降すると、サブトレイ９０におけるシート支持部９１のシート支持領域９１Ａ上に載置された最上部のシートに当接する。
【００８０】
このような状態で、給送ローラ２５が回転駆動されると、給送ローラ２５に当接したシートは、第１搬送経路３３から第２搬送経路３４へ搬送されて、プラテン４２上において記録部２４によって画像が記録される。その後、反転ローラ対４５における反転ローラ６７が正転されることにより、給送トレイ８０上において第４位置になったサブトレイ９０の排出トレイ部９２上にシートが排出される。
【００８１】
次に、ユーザが、サブトレイ９０を第３位置から第４位置に向かってスライドさせているときに、誤って、サブトレイ９０が第４位置に達していない状態で、給送トレイ８０を第１位置へスライドさせる操作を実行した場合について説明する。この場合には、図８に示されるように、位置決め部９４が、保持部８９の平坦面８９Ｂ上に載置された状態になっている。これにより、サブトレイ９０の前端部は、給送トレイ８０の支持板８１に近接した近接位置よりも上方の回動位置に保持されている。
【００８２】
このような状態で、給送トレイ８０を本体１４の第１位置に装着するために後向きにスライドさせると、図１０（Ｂ）に示されるように、位置決め部９４は、本体１４に設けられた規制部１７に当接する。これにより、給送トレイ８０を、それ以上に後向きにスライドさせることができなくなり、給送トレイ８０は、前側部分が本体１４の前面１４Ｂよりも前方に突出した状態で停止する。従って、ユーザは、誤って、サブトレイ９０を第４位置にまでスライドさせていない状態で、給送トレイ８０を第１位置へスライドさせたことを認識できる。
【００８３】
なお、この場合、サブトレイ９０の位置決め部９４が、保持部８９の平坦面８９Ｂ上に載置された状態で、給送トレイ８０を第１位置へスライドさせる操作を実行した場合、位置決め部９４が規制部１７に当接して前方にスライドする場合もある。この場合には、サブトレイ９０は、給送トレイ８０に対して第１位置に保持されることになる。
【００８４】
［実施形態の効果］
本実施形態では、給送トレイ８０に対してサブトレイ９０が保持部８９によって回動位置に保持された状態であれば、給送トレイ８０を第１位置へスライドできないために、ユーザは、サブトレイ９０がシートを給送できない状態で、シートの搬送を実行するおそれがない。これにより、サブトレイ９０が第４位置に位置していない状態で、給送部１６における給送動作が実行されることによる不都合が生じるおそれがない。
【００８５】
保持部８９は、給送トレイ８０の側壁部８７に設けられているために、給送トレイ８０の支持板８１上に載置される記録用紙１２の搬送の妨げにならない。また、保持部８９は、前側から順番に、第１傾斜面８９Ａ、平坦面８９Ｂ、第２傾斜面８９Ｃになっているために、サブトレイ９０を第１位置から第４位置へと円滑に移動させることができる。
【００８６】
サブトレイ９０は、排出空間１３に排出される記録用紙１２を支持する排出トレイ部９２を有するために、プリントアウトされる記録用紙１２を支持するための専用のトレイを設ける必要がなく、簡潔な構成とすることができる。
【００８７】
規制部１７は、排出空間１３に対して、記録用紙１２の排出向きに直交する方向の外側に設けられているために、排出空間に排出される記録用紙１２が規制部１７に接触するおそれがない。
【００８８】
サブトレイ９０は、サブトレイ９０が第３位置から第４位置へのスライド向きの下流側に、左右方向９に沿った回動中心軸を中心に回動可能であるために、給送トレイ８０の前側部分を大きく開放することができる。これにより、給送トレイ８０の支持板８１上に記録用紙１２を容易に載置することができる。
【００８９】
給送部１６の給送ローラ２５は、第１位置における給送トレイ８０に対して第４位置になったサブトレイ９０上のシートに当接可能であるために、シートを確実に搬送することができる。
［変形例］
【００９０】
前述された実施形態では、給送部１６の給送ローラ２５は、給送トレイ８０のスライドに連動する機構によって、上下方向７の位置が変位する構成であったが、モータ等の動力により、給送ローラ２５の上下方向７の位置が変位される構成が採用されてもよい。
【００９１】
また、前述された実施形態では、規制部１７は、本体１４における排出空間１３の左右方向９の両側に位置する内側面１４Ａに設けられているが、規制部１７は必ずしも排出空間１３において突出する構成でなくともよい。具体的には、例えば、排出空間１３の前側の開口の上縁部分が規制部として機能するように構成されてもよい。
【００９２】
また、前述された実施形態では、サブトレイ９０は、給送トレイ８０のスライド部材８２に設けられた左右方向９に沿った支持軸８２Ｆによって、サブトレイ９０における前部が上下方向７に回動可能に構成されているが、サブトレイ９０の回動軸が前後方向８に沿って設けられており、かつサブトレイ９０が前後方向８にスライド可能に構成されてもよい。
【符号の説明】
【００９３】
１１・・・・プリンタ部
１３・・・・排出空間
１４・・・・本体
１６・・・・給送部
１７・・・・規制部材
２４・・・・記録部
２５・・・・第２搬送経路
２６・・・・支持アーム
３３・・・・第１搬送経路
３４・・・・第２搬送経路
８０・・・・給送トレイ（第１トレイ）
８１・・・・支持板
８２・・・・スライド部材
８７・・・・側壁部
８９・・・・保持部
８９Ａ・・・第１傾斜面
８９Ｂ・・・平坦面
８９Ｃ・・・第２傾斜面
９０・・・・サブトレイ
９１・・・・シート支持部
９１Ａ・・・シート支持領域
９２・・・・排出トレイ部
【図１】
0006372281.tif 000002
【図２】
0006372281.tif 000003
【図３】
0006372281.tif 000004
【図４】
0006372281.tif 000005
【図５】
0006372281.tif 000006
【図６】
0006372281.tif 000007
【図７】
0006372281.tif 000008
【図８】
0006372281.tif 000009
【図９】
0006372281.tif 000010
【図１０】
0006372281.tif 000011